(57)【要約】      （修正有）【課題】尿素水販売店に設置され、尿素水を安全に保管することができると共に、注入ノズルを使用して尿素水を車両の尿素水タンクに簡便に注入することができる尿素水供給装置を提供する。【解決手段】尿素水供給装置は、尿素水が充填、保管される尿素水保管チャンバ１００、前記尿素水保管チャンバ内に設置され、その外部に尿素水を供給する水中ポンプ１１０、前記尿素水保管チャンバの上面に設置され、空気の出入りを可能にして前記尿素水保管チャンバの内部と外部の圧力差を解消するエアベント１５０、前記尿素水保管チャンバと区画分離形成される装置チャンバ２００、前記水中ポンプの吐出口とホースで連結され、車両の尿素水タンクに尿素水を注入可能にする注入ノズル及び前記装置チャンバの少なくとも一側に外側と連通しながら前記装置チャンバ内部と連通する空間部として形成され、前記注入ノズルが保持される保持板を備えた注入ノズル収納部を含む。【選択図】図２
2013233996.tif 000002
【特許請求の範囲】
【請求項１】
尿素水が充填されて保管される尿素水保管チャンバ；
前記尿素水保管チャンバ内に設置され、前記尿素水保管チャンバの外部に尿素水を供給する水中ポンプ；
前記尿素水保管チャンバの上面に設置され、空気の出入りを可能にして前記尿素水保管チャンバの内部と外部の圧力差を解消するエアベント；
前記尿素水保管チャンバと区画分離されて形成される装置チャンバ；
前記水中ポンプの吐出口とホースで連結され、車両の尿素水タンクに尿素水を注入可能にする注入ノズル；及び
前記装置チャンバの少なくとも一側に外側と連通しながら前記装置チャンバの内部と連通する空間部として形成され、前記注入ノズルが保持される保持板を備えた注入ノズル収納部を含むことを特徴とする尿素水供給装置。
【請求項２】
前記尿素水保管チャンバには、前記尿素水の温度を感知するための温度センサーとヒーターを含む温度調節システムがさらに備えられることを特徴とする請求項１に記載の尿素水供給装置。
【請求項３】
前記尿素水保管チャンバには、
上下端が開放された管形状であり、垂直方向に設置された水位測定管と、
前記水位測定管の上端に設置された超音波レベルセンサーを含む尿素水水位測定部がさらに備えられることを特徴とする請求項１に記載の尿素水供給装置。
【請求項４】
一端が前記尿素水保管チャンバ内に位置し、他端が前記装置チャンバまたは他のチャンバ内に延長し、その他端に充填カップラーが備えられ、外部から前記尿素水保管チャンバの内部に尿素水を充填するための充填ホースがさらに備えられ、
前記装置チャンバまたは他のチャンバの内部に疎通経路となるドアが備えられ、且つ、
前記ドアは、ロッキング部を備え、承認されたコードを入力部に入力する場合にのみ開放されるようにして、
前記充填ホースを通じた前記尿素水保管チャンバへの尿素水充填が規制され得るように構成されることを特徴とする請求項１に記載の尿素水供給装置。
【請求項５】
前記尿素水保管チャンバの内部に尿素水を充填することができる充填ホースがさらに備えられ、
前記充填ホース内には、尿素水に含まれた標識物質または尿素水の濃度のうち少なくとも１つを感知することができる成分分析機が内蔵されることを特徴とする請求項１に記載の尿素水供給装置。
【請求項６】
前記装置チャンバの内部には、ヒーターがさらに設置されることを特徴とする請求項１に記載の尿素水供給装置。
【請求項７】
前記注入ノズル収納部には、外部に露出する部分にドアが開閉可能に設置されることを特徴とする請求項１または６に記載の尿素水供給装置。
【請求項８】
前記注入ノズル収納部を前記装置チャンバの内部と連通させる貫通孔の内周面には、前記注入ノズルに尿素水を供給するノズルホースを移動可能に支持するブラシが設置されることを特徴とする請求項７に記載の尿素水供給装置。
【請求項９】
前記装置チャンバの内部には、前記装置チャンバの一側に設置され、前記ノズルホースを巻き取って弾力的に保持するノズルホースリールが備えられることを特徴とする請求項１に記載の尿素水供給装置。
【請求項１０】
前記装置チャンバの内部には、
前記装置チャンバの内壁の一側に設置され、前記ノズルホースが巻かれて通過する保持部と、
前記保持部から離隔して設置され、且つ前記保持部から離隔する方向及び近接する方向に移動可能に支持され、前記ノズルホースが巻かれて通過する保持ローラーと、
前記保持ローラーの移動方向に長く延長され、長さ方向に溝が形成され、前記溝に前記保持ローラーを移動可能にする支持台を備えるリトラクタを含むことを特徴とする請求項１に記載の尿素水供給装置。
【請求項１１】
前記尿素水保管チャンバの少なくとも一面は、
１次ＦＲＰ層と、２次ＦＲＰ層と、前記１次及び２次ＦＲＰ層の間に介在されて形成されたエンボス層を含むＦＲＰ補強プレートで製造されることを特徴とする請求項１に記載の尿素水供給装置。
【請求項１２】
前記２次ＦＲＰ層の内面には、尿素水腐食に抵抗することができる耐食樹脂層が形成されていることを特徴とする請求項１１に記載の尿素水供給装置。
【請求項１３】
前記注入ノズル収納部には、
前記保持板に載置された前記注入ノズルの注入端を収容するノズルカップが設置されることを特徴とする請求項１に記載の尿素水供給装置。
【請求項１４】
前記ノズルカップは、着脱可能に構成されることを特徴とする請求項１３に記載の尿素水供給装置。
【請求項１５】
前記注入ノズル収納部は、
前記注入ノズルの注入端が貫通可能となるように開口部が上下方向に形成されており、前記保持板の下方に前記ノズルカップの上部に引き出し可能となるように設置されたノズル保持台を含み、
前記注入ノズルは、前記注入端が前記ノズルカップに浸った状態で前記ノズル保持台に保持されることができることを特徴とする請求項１３に記載の尿素水供給装置。
【請求項１６】
前記尿素水保管チャンバの上面に形成される尿素水移送と関連した配管部品を収納する配管部品収納溝と、前記尿素水保管チャンバまたは前記装置チャンバの上面に形成され、制御と関連した電子部品を収納する電子部品収納溝が、互いに区分された凹状の空間部としてそれぞれ形成されることを特徴とする請求項１に記載の尿素水供給装置。
【請求項１７】
前記エアベントは、前記配管部品収納溝に形成され、漏出尿素水が発生した場合、前記エアベントを通じて前記尿素水保管チャンバ内に再び流入されることを特徴とする請求項１６に記載の尿素水供給装置。
【請求項１８】
前記収納溝の上部には、前記収納溝内の部品の実際配置を図示した配置図付き透明板が覆われ、前記配置図付き透明板を通じて前記収納溝内の部品を観察することによって、前記収納溝に設置された部品を区分認識可能にすることを特徴とする請求項１６に記載の尿素水供給装置。
【発明の詳細な説明】
【技術分野】
【０００１】
本発明は、尿素水供給装置に関し、より詳細には、尿素水販売店に設置され、尿素水を安全に保管することができると共に、注入ノズルを使用して尿素水を車両の尿素水タンクに簡便に注入することができる尿素水供給装置に関する。
【背景技術】
【０００２】
環境汚染に関する問題が社会的に主な問題になるに伴い、化石燃料を使用する内燃機関自動車に対する排気ガス規制が次第に厳格になっている。特に、バスやトラックのように、ディーゼル燃料を使用するディーゼルエンジン車両の排気ガスには、酸性雨及び呼吸器疾患の原因物質として明らかにされた窒素酸化物（ＮＯｘ）が含まれていて、最近適用されているか、適用される予定であるヨーロッパ自動車排気ガス規制基準であるユーロ５（ＥＵＲＯ−５）及びユーロ６（ＥＵＲＯ−６）は、窒素酸化物の排出基準をさらに厳格に規制している。
【０００３】
このような排出基準に対応するために、車両にＳＣＲ（Ｓｅｌｅｃｔｉｖｅ  Ｃａｔａｌｙｔｉｃ  Ｒｅｄｕｃｔｉｏｎ、選択的触媒還元法）システムを適用し、車両ディーゼルエンジンの排気ガスの中に含まれている窒素酸化物を低減する方法が使用されている。ＳＣＲシステムは、触媒剤として尿素水を利用して窒素酸化物を窒素と水に還元することによって、排気ガス中の窒素酸化物を除去する。このようなＳＣＲシステムは、現在は、トラックなどの大型車に主に使用されているが、最近は、乗用車までその適用範囲が拡張されている。
【０００４】
ＳＣＲシステムは、窒素酸化物を低減するために、燃料使用量の約４〜６％に至る尿素水を使用する。したがって、車両に燃料を充填することと同様に、尿素水も充填されなければならない。このためにディーゼルエンジン車両には、燃料タンクとともに尿素水タンクが備えられている。
【０００５】
ＳＣＲシステム装着車両が増加するにつれて、尿素水の需要が急増しているにもかかわらず、未だ車両運転手が尿素水を燃料注油のように簡便に注入することができる装置が存在しないので、多くの不便を経験している。
【発明の概要】
【発明が解決しようとする課題】
【０００６】
本発明は、前述のような問題点を解決するためになされたもので、その目的は、尿素水販売店に設置され、尿素水を安全に保管することができると共に、注入ノズルを使用して車両に燃料を注入することと同様に、簡便に尿素水を車尿素水タンクに注入することができる尿素水供給装置を提供することにある。
【０００７】
本発明の他の目的は、尿素水販売者の販売便宜性及び車両運転手の尿素水注入容易性を同時に確保することができる尿素水供給装置を提供することにある。
【０００８】
また、本発明のさらに他の目的は、冬季の酷寒にも尿素水の結氷を防止しながら保管することができる尿素水供給装置を提供することにある。
【課題を解決するための手段】
【０００９】
上記目的を達成するために、本発明は、尿素水が充填されて保管される尿素水保管チャンバ；前記尿素水保管チャンバ内に設置され、前記尿素水保管チャンバの外部に尿素水を供給する水中ポンプ；前記尿素水保管チャンバの上面に設置され、空気の出入りを可能にして前記尿素水保管チャンバの内部と外部の圧力差を解消するエアベント；前記尿素水保管チャンバと区画分離されて形成される装置チャンバ；前記水中ポンプの吐出口とホースで連結され、車両の尿素水タンクに尿素水を注入可能にする注入ノズル；及び前記装置チャンバの少なくとも一側に外側と連通しながら前記装置チャンバの内部と連通する空間部として形成され、前記注入ノズルが保持される保持板を備える注入ノズル収納部を含む尿素水供給装置を提供する。
【００１０】
本発明によれば、前記尿素水保管チャンバには、前記尿素水の温度を感知するための温度センサーとヒーターを含む温度調節システムがさらに備えられる。
【００１１】
本発明によれば、前記尿素水保管チャンバには、上下端が開放された管形状であり、垂直方向に設置された水位測定管と、前記水位測定管の上端に設置された超音波レベルセンサーを含む尿素水水位測定部がさらに備えられる。
【００１２】
本発明によれば、一端が前記尿素水保管チャンバ内に位置し、他端が前記装置チャンバまたは他のチャンバ内に延長し、その他端に充填カップラーが備えられ、外部から前記尿素水保管チャンバの内部に尿素水を充填するための充填ホースがさらに備えられ、前記装置チャンバまたは他のチャンバ内部に疎通経路となるドアが備えられ、且つ、前記ドアは、ロッキング部を備え、承認されたコードを入力部に入力する場合にのみ開放されるようにして、前記充填ホースを通じた前記尿素水保管チャンバへの尿素水充填が規制され得るように構成される。
【００１３】
本発明によれば、前記尿素水保管チャンバの内部に尿素水を充填することができる充填ホースがさらに備えられ、前記充填ホース内には、尿素水に含まれた標識物質または尿素水の濃度のうち少なくとも１つを感知することができる成分分析機が内蔵される。
【００１４】
本発明によれば、前記装置チャンバの内部には、ヒーターがさらに設置される。
【００１５】
本発明によれば、前記注入ノズル収納部には、外部に露出する部分にドアが開閉可能に設置される。
【００１６】
本発明によれば、前記注入ノズル収納部を前記装置チャンバの内部と連通させる貫通孔の内周面には、前記注入ノズルに尿素水を供給するノズルホースを移動可能に支持するブラシが設置される。
【００１７】
本発明によれば、前記装置チャンバの内部には、前記装置チャンバの一側に設置され、前記ノズルホースを巻き取って弾力的に保持するノズルホースリールが備えられる。
【００１８】
本発明によれば、前記装置チャンバの内部には、前記装置チャンバの内壁の一側に設置され、前記ノズルホースが巻かれて通過する保持部と、前記保持部から離隔して設置され、且つ前記保持部から離隔する方向及び近接する方向に移動可能に支持され、前記ノズルホースが巻かれて通過する保持ローラーと、前記保持ローラーの移動方向に長く延長し、長さ方向に溝が形成され、前記溝に前記保持ローラーを移動可能にする支持台を備えるリトラクタを含む。
【００１９】
本発明によれば、前記尿素水保管チャンバの少なくとも一面は、１次ＦＲＰ層と、２次ＦＲＰ層と、前記１次及び２次ＦＲＰ層の間に介在されて形成されたエンボス層を含むＦＲＰ補強プレートで製造され、前記２次ＦＲＰ層の内面には、尿素水の腐食に抵抗することができる耐食樹脂層が形成されている。
【００２０】
本発明によれば、前記注入ノズル収納部には、前記保持板に載置された前記注入ノズルの注入端を収容するノズルカップが設置され、前記ノズルカップは、着脱可能に構成される。
【００２１】
本発明によれば、前記注入ノズル収納部は、前記注入ノズルの注入端が貫通可能となるように開口部が上下方向に形成されており、前記保持板の下方に前記ノズルカップの上部に引き出し可能となるように設置されたノズル保持台を含み、前記注入ノズルは、前記注入端が前記ノズルカップに浸った状態で前記ノズル保持台に保持されることができる。
【００２２】
本発明によれば、前記尿素水保管チャンバの上面に形成される尿素水移送と関連した配管部品を収納する配管部品収納溝と、前記尿素水保管チャンバまたは前記装置チャンバの上面に形成され、制御と関連した電子部品を収納する電子部品収納溝が、互いに区分された凹状の空間部としてそれぞれ形成される。
【００２３】
本発明によれば、前記エアベントは、前記配管部品収納溝に形成され、漏出尿素水が発生した場合、前記エアベントを通じて前記尿素水保管チャンバ内に再び流入される。 
【００２４】
本発明によれば、前記収納溝の上部には、前記収納溝内の部品の実際配置を図示した配置図付き透明板が覆われ、前記配置図付き透明板を通じて前記収納溝内の部品を観察することによって、前記収納溝に設置された部品を区分認識可能に構成される。
【発明の効果】
【００２５】
本発明によれば、ガソリンスタンドでの車燃料注入と同様に、尿素水販売店で尿素水供給装置を設置し、尿素水を安全に保管することができ、注入ノズルを使用して車両に燃料を注入することと同様に、簡便に尿素水を車尿素水タンクに注入することができるようになる。
【００２６】
本発明によれば、尿素水を尿素水販売店で安全に保管し、車両の尿素水タンクに簡便に注入することができるので、尿素水販売者の販売便宜性及び車両運転手の尿素水注入容易性を同時に確保することができる。
【００２７】
本発明によれば、冬季の酷寒にも尿素水の結氷を防止しながら尿素水を保管することができ、ノズルホース及び注入ノズルが装置チャンバ及び注入ノズル収納部の内部に保温保管されることができるという長所がある。
【図面の簡単な説明】
【００２８】
【図１】図１は、本発明の一実施例による尿素水供給装置の外観斜視図である。
【図２】図２は、本発明の一実施例による尿素水供給装置の内部構造を示す部分断面図である。
【図３】図３は、本発明の一実施例による尿素水供給装置の内部構造を示す部分断面図である。
【図４】図４は、本発明による尿素水供給装置の注入ノズル収納部を拡大して示す外部斜視図である。
【図５】図５は、本発明による尿素水供給装置の注入ノズル収納部で注入ノズル保持状態の断面図である。
【図６】図６は、本発明による尿素水供給装置の注入ノズル収納部での注入ノズルの保持過程を説明するための作用図である。
【図７】図７は、本発明の他の実施例による尿素水供給装置の上面構造を示す図である。
【図８】図８は、本発明の他の実施例による尿素水供給装置の上面構造の分離状態図である。
【図９】図９は、本発明のさらに他の実施例による尿素水供給装置の外観斜視図である。
【図１０】図１０は、本発明のさらに他の実施例による尿素水供給装置の内部構造を説明するための図である。
【発明を実施するための形態】
【００２９】
以下、添付の図面を参照して本発明の実施例をさらに詳細に説明する。
図１は、本発明の一実施例による尿素水供給装置の外観斜視図であり、図２及び図３は、本発明の一実施例による尿素水供給装置の内部構造を角度を異ならしめて示す部分断面図である。
【００３０】
図面を参照すれば、本発明による尿素水供給装置は、外観を成すハウジング１を含み、ハウジング１の内部に尿素水保管チャンバ１００と、装置チャンバ２００を含む。ハウジング１は、底フレーム３に固定設置される。
【００３１】
尿素水保管チャンバ１００には、尿素水が充填保管される。隔壁１０１により前記尿素水保管チャンバ１００と区画分離されて形成された装置チャンバ２００には、注入ノズル５０を通じた尿素水供給と関連したツールが設置される。また、尿素水を車両の尿素水タンクに注入することができる注入ノズル５０は、装置チャンバ２００の少なくとも一側に分離された空間部として形成され、ハウジング１の外側と連通するように形成された注入ノズル収納部２０に収納される。
【００３２】
尿素水供給装置は、ガソリンスタンドなどのような尿素水販売店に固定的に設置され、販売者が車両燃料を販売することと同様の方式で尿素水を販売することができ、車両運転手が必要な時期に燃料を購買し、注油され得ることと同様に、簡便に尿素水を購買、注入されることができるようにする装置である。
【００３３】
本発明によれば、ハウジング１、特に、尿素水保管チャンバ１００の側面は、ＦＲＰ補強プレートを使用して形成される。図２のＡ部分は、本発明によるハウジング１の断面構造を示しているが、本発明によるＦＲＰ補強プレートは、合成樹脂にガラス繊維が補強された１次ＦＲＰ層１２と合成樹脂にガラス繊維が補強された２次ＦＲＰ層１４との間に波形のエンボスプレートよりなるエンボス層１３を含む。エンボス層１３は、プレートが波形構造を有するので、波形の谷構造の間に空きの空間を含み、その部分に空気層が形成されるので、断熱保温性を向上させることが可能である。２次ＦＲＰ層１４の表面には、尿素水の腐食性に抵抗することができる耐食樹脂層１５がコーティングされて内壁を構成し、１次ＦＲＰ層１２の表面には、ゲルコート樹脂のような樹脂層１１がコーティングされて外壁を構成する。
【００３４】
本発明によるＦＲＰ補強プレートを採用した態様によれば、内壁と外壁の間の熱伝逹が効果的に遮断され、内部の保温性を向上することができると共に、尿素水による腐食に効果的に対応することができるので、尿素水を安全に保管することができる。本発明のハウジング及び尿素水保管チャンバは、ＦＲＰ補強プレートによって制限されず、多様な素材のプレートが使用されることができる。
【００３５】
本発明は、ハウジング１内部の尿素水保管チャンバ１００に保管されている尿素水を車両の尿素水タンクに注入することができる装置である注入ノズル５０を含む。注入ノズル５０は、ハウジング１の外部で見られる注入ノズル収納部２０に収納保持される。注入ノズル収納部２０の上部には、制御盤１９が設置される。
【００３６】
注入ノズル収納部２０は、注入ノズル５０が内部に収納される空間であって、装置チャンバ２００の一側に形成され、ハウジング１の外側と連通する。注入ノズル収納部２０には、ハウジング１の外部に露出する部分にドア２１が開閉可能に設置される。ドア２１は、閉まった状態で注入ノズル５０が設置された注入ノズル収納部２０の空間は、外部と分離されるので、冬季に冷気が流入されることを遮断し、注入ノズル収納部２０の空間を保温することができる。注入ノズル収納部２０の詳細な構成については、図４〜図６を参照して後述する。
【００３７】
制御盤１９は、注入ノズル５０を通じた尿素水の販売、すなわち注入ノズル５０を通じた尿素水の注入量による金額モニタリング、リットル単位または金額単位の尿素水注入が可能となるように構成される。また、制御盤１９は、充填ホース１３０を通じて尿素水保管チャンバ１００に充填される尿素水量をモニタリングし、残量を監視し表示する機能をする。
【００３８】
ハウジング１は、一側に装置チャンバドア２０１を含み、装置チャンバ２００の内部を開閉可能に構成されている。
【００３９】
図２及び図３を参照して尿素水保管チャンバ１００を説明する。尿素水保管チャンバ１００は、運搬車両から尿素水を供給されて販売のために保管する空間であって、水中ポンプ１１０と、ヒーター１２０及び温度センサー１２５を含む温度調節システム、充填ホース１３０及び尿素水水位測定部が設置される。
【００４０】
水中ポンプ１１０は、尿素水保管チャンバ１００内の尿素水を外部に供給するためのものであって、装置チャンバ２００との区画を成す隔壁１０１付近の底面に設置される。水中ポンプ１１０の吐出口は、排出ホース１１２と連結され、排出ホース１１２は、尿素水保管チャンバ１００の上部に延長した後、装置チャンバ２００内に延長する。排出ホース１１２は、装置チャンバ２００内でノズルホース２２０と連結される。
【００４１】
温度調節システムが尿素水保管チャンバ１００内に設置される。温度調節システムは、水中ポンプ１１０に隣接して隔壁１０１に設置されたヒーター１２０を含む。ヒーター１２０は、冬季に内部の温度が一定温度以下に下降する場合に稼動し、水中ポンプ１１０の周辺を加熱する。ヒーター１２０によって水中ポンプ１１０の周辺が常に一定の温度を維持するので、温度低下による水中ポンプ１１０の機能異常を防止することができ、尿素水保管チャンバ１００内の尿素水結氷を防止し、水中ポンプ１１０による尿素水の円滑な供給を保障する。
【００４２】
温度調節システムは、水中ポンプ１１０に隣接して尿素水保管チャンバ１００の底面に設置された温度センサー１２５を含む。温度センサー１２５は、尿素水保管チャンバ１００内の尿素水温度を感知し、ヒーター１２０の稼動を制御し、水中ポンプ１１０周辺の尿素水温度を一定に維持することができる。
【００４３】
充填ホース１３０が尿素水を尿素水保管チャンバ１００の内部に充填するために設置される。運搬車両を通じて尿素水供給装置がある尿素水販売店に運搬されてきた尿素水は、充填ホース１３０を通じて尿素水保管チャンバ１００に充填される。尿素水充填ホース１３０は、その一端が尿素水保管チャンバ１００の底面に隣接して位置し、上部に延長した後、他端が尿素水保管チャンバ１００の外部に延長する。本発明の一実施例によれば、充填ホース１３０は、装置チャンバ２００内に延長する。
【００４４】
本発明の一実施例によれば、充填ホース１３０内には、成分分析機（図示せず）が設置される。成分分析機は、充填ホース１３０を通じて充填される尿素水の濃度及び／または標識物質を感知することができるように構成される。
【００４５】
標識物質は、不良の尿素水と正常品の尿素水を区分するために尿素水に添加されるものであって、特定の色素または特定の成分を使用することができる。成分分析機が充填ホース１３０内に設置され、標識物質を感知する場合、標識物質の存在有無によって、充填される尿素水が正常品であるか否かを区分することができる。また、尿素水の濃度を感知することによって、正常品尿素水であるとしても、運搬過程で水の注入のような不正行為があったか否かを感知することができる。
【００４６】
尿素水保管チャンバ１００には、尿素水の水位を測定することができる尿素水水位測定部が設置される。尿素水水位測定部は、水位測定管１４０と超音波レベルセンサー１４５を含む。
【００４７】
水位測定管１４０は、上下端が開放された直線形の管であって、下端が尿素水保管チャンバ１００の底面に隣接して配置され、垂直方向に延長し、上端は、尿素水保管チャンバ１００の上面を貫通して外部に延長する。超音波レベルセンサーは、水位測定管１４０の上端に装着される。
【００４８】
超音波レベルセンサー１４５は、超音波を対象物に発射し、超音波が反射されて戻る時間を測定し、換算して対象物との距離を算出する方式で水位を測定する。しかし、測定される対象が液状物質の水位である場合、水面の搖れ、すなわちだぶつきなどが発生する場合には、だぶつきによって反射表面が歪曲されるので、正確な水位測定が行われない。また、反射表面が広い場合、他の方向で反射されて戻る超音波ノイズの問題も、正確な測定を妨害する。したがって、超音波レベルセンサーのみを利用して可変する水位を測定しようとする場合、信頼度の問題が発生し、正確な水位を知ることができないという問題点がある。
【００４９】
しかし、本発明による尿素水水位装置は、水位測定管１４０を備え、その上端に超音波レベルセンサー１４５を設置することによって、このような問題点を解消し、正確な水位測定を行うことができる。水位測定管１４０によって測定表面が限定され、外部のだぶつきが内部に伝達されずに、均一な水面を有するようにして、周辺の歪曲状況をすべて解消することができるようになる。
【００５０】
本発明は、このような尿素水の水位測定部を備えることによって、充填ホース１３０を通じて尿素水貯蔵タンクに充填される尿素水の量をリアルタイムで正確に測定することが可能である。このようにリアルタイムで測定される正確な尿素水の水位は、不正注入可否、すなわち承認された充填権限を有する者によって承認された定量だけ充填が行われるかをリアルタイムで監視することができる。
【００５１】
尿素水保管チャンバ１００の上面には、尿素水保管チャンバ１００への空気の出入りを可能にするエアベント１５０が設置される。エアベント１５０によって尿素水保管チャンバ１００内部の尿素水の水位変化に従って空気が出入り可能なので、尿素水保管チャンバ１００の内部が外部と同一の圧力に維持されることができるようにする。したがって、尿素水保管チャンバ１００の内部に負圧または正圧が生成されることを防止し、安定性が向上する。
【００５２】
本発明によれば、装置チャンバ２００は、隔壁１０１により尿素水保管チャンバ１００と区分された独立された空間で形成され、尿素水保管チャンバ１００の一側に位置する。
【００５３】
装置チャンバ２００は、尿素水保管チャンバ１００から延長する充填ホース１３０の他端と、ノズルホース２２０と、ノズルホース２２０を保持するリトラクタ２１０と、ヒーター２３０を含む。一側に装置チャンバドア２０１が形成され、外部と連通する。
【００５４】
装置チャンバ２００の内部に延長する充填ホース１３０は、その他端が装置チャンバドア２０１の付近で隔壁１０１に固定され、他端には、充填マフラー１３２が結合する。充填マフラー１３２は、これに対応する供給マフラーが結合する場合にのみ開放されるように設計され、対応する供給マフラーを有しない運搬車両からは、尿素水が供給されることができない。したがって、充填権限を持って対応供給マフラーを備えた運搬車両によってのみ尿素水保管チャンバ１００への尿素水充填を行うことができるところ、正常品尿素水の使用を強制することができる。すなわち、不正充填が防止されることができる。
【００５５】
また、本発明によれば、充填ホース１３０の他端が装置チャンバ２００の内部に配置されるので、尿素水の充填が管理及び規制されることができる。尿素水保管チャンバ１００に尿素水を充填するときに使用する充填カップラー１３２が装置チャンバ２００内に配置されているので、作業者は、装置チャンバドア２０１を開ける場合にのみ、充填カップラー１３２を通じて尿素水を尿素水保管チャンバ１００に充填することができる。
【００５６】
ところが、装置チャンバドア２０１には、ロッキング部（図示せず）が備えられ、制御盤１９に承認されたコードを入力する場合にのみ、ロッキング部が解除されて開放されるように設計されるので、承認された権限を有する作業者以外の第３者は、承認なしに尿素水を尿素水保管チャンバ１００に充填することができない。不良尿素水を扱う可能性の高い許可されない第３者には、承認コードが付与されないように管理される。
【００５７】
装置チャンバ２００の内部には、注入ノズル５０に尿素水を供給するノズルホース２２０が備えられる。ノズルホース２２０は、水中ポンプ１１０の吐出口に連結された排出ホース１１２と連結され、尿素水を供給される。ノズルホース２２０は、制御ブロック１１５を媒介に排出ホース１１２と連結されるが、制御ブロック１１５の内部には、リミットスイッチ、流量計などが備えられ、制御盤１９と連結され、注入ノズル５０を通じた車両への尿素水の注入を制御し、制御盤１９を通じて関連情報を提供する。また、制御ブロック１１５の内部には、通信モジュールが内蔵され、注入ノズルを通じた尿素水の注入量、すなわち販売量がリアルタイムで管理者に送信されることができる。
【００５８】
装置チャンバ２００の内部には、ノズルホース２２０を弾力的に保持するリトラクタ２１０を含む。本発明の一実施例によれば、リトラクタ２１０として公知のノズルホースリール２１１を含む。ノズルホース２２０は、ノズルホースリール２１１に巻き取られている。ノズルホース２２０を引っ張る力が作用する場合にノズルホース２２０が巻き出され、一方、引っ張る力が除去され、反対方向に所定の力が作用する場合にノズルホース２２０を再び巻き取る。したがって、ノズルホース２２０は、装置チャンバ２００内で弾力的に保持されることができる。
【００５９】
装置チャンバ２００の内部には、ヒーター２３０が設置される。ヒーター２３０は、設定温度以下で自動に作動するように設定される。このために、装置チャンバ２００の内部に別途の温度センサーを設置することが可能である。冬季に温度が下降するにつれて、ノズルホース２２０は、硬くなり、柔軟性が低下する。したがって、注入ノズル５０を利用して車両に尿素水を注入するためにノズルホース２２０を引っ張る場合、柔軟性が低下した状態では、ノズルホース２２０の破損可能性があり、ノズルホース２２０が破損しないとしても、硬くなったノズルホース２２０を操作するには、相対的に大きい力が必要となる。
【００６０】
しかし、本発明によればノズルホース２２０がヒーター２３０によって一定温度を維持する装置チャンバ２００の内部に保管されるので、柔軟性の低下による破損可能性及び操作困難性などは発生しない。しかも、尿素水の結氷が発生することができる酷寒期でも、ヒーター２３０が装置チャンバ２００を一定の温度に維持するので、排出ホース１１２またはノズルホース２２０のようなホースに残存する尿素水が結氷されることを防止することができる。
【００６１】
ヒーター２３０は、ノズルホースリール２１１付近の装置チャンバ２００の内壁に設置されるので、相対的に最適の熱効率でノズルホース２２０の硬直を防止することができる。
【００６２】
装置チャンバ２００の上面には、空気の出入りを可能にするエアベント２５０がさらに設置されることができる。
【００６３】
尿素水保管チャンバ１００及び装置チャンバ２００のエアベント１５０、２５０は、カバー５によって覆われる。カバー５は、内外部に空気が疎通可能に覆われる。
【００６４】
図４は、本発明による注入ノズル収納部を拡大して示すものであり、図５は、本発明による注入ノズル収納部において注入ノズルの保持状態を示す断面図であり、図６は、注入ノズル収納部での注入ノズルの保持過程を説明するための図である。
【００６５】
本発明による尿素水供給装置は、図示の実施例に限定されず、注入ノズル及び注入ノズル収納部を複数個備えることができる。以下では、添付の図面を参照して１つの注入ノズル及び注入ノズル収納部が形成された形態を例として説明する。
【００６６】
注入ノズル収納部２０は、装置チャンバ２００の一側に備えられた収納ハウジング２０ａによって装置チャンバ２００と区分される空間部として形成される。収納ハウジング２０ａは、外側、すなわちハウジング１の外部に向けて開口している。開口には、開閉可能なドア２１が設置される。ドア２１は、ハウジング１にヒンジタイプで結合され、回動式で開閉可能に構成される。しかし、ドア２１は、ハウジング１にスライディングドアタイプで設置されるなど多様な変形が可能である。ドア２１は、閉まった状態で注入ノズル５０が設置された注入ノズル収納部２０空間と外部を分離させるので、冬季に冷気が流入されることを遮断し、注入ノズル収納部２０空間の保温を可能にする。
【００６７】
注入ノズル収納部２０の収納ハウジング２０ａは、注入ノズル５０が載置される保持板２６を含む。保持板２６は、両方の側面板２５の間に備えられ、保持板２６の上部に注入ノズル５０の注入端５１が下方に向かうように傾くように配置されて保持される。保持板２６には、注入ノズル５０が載置されることができる載置溝２７が形成されている。載置溝２７の他に、注入ノズル５０を保持することができる突起などの他の手段が形成されることができる。注入ノズル５０は、注入端５１が下方に向けた方向に載置溝２７に注入ノズル５０の把持部が挿入載置されて保持板２６に保持される。
【００６８】
注入ノズル収納部２０の上部板２２には、ノズルホース２２０が通過する貫通孔２３が形成される。ノズルホース２２０は、貫通孔２３を通過し、注入ノズル５０に結合される。
【００６９】
本発明によれば、貫通孔２３の内周面には、ブラシ２４が設置される。ブラシ２４は、ノズルホース２２０を移動可能に支持するだけでなく、ブラシ２４によって異物が濾過されるので、貫通孔２３を通じて装置チャンバ２００の内部に流入されることを防止するが、空気の流動は、可能にする。したがって、注入ノズル収納部２０は、貫通孔２３を通じて装置チャンバ２００内部と空気が疎通可能に連結される。したがって、注入ノズル収納部２０に別途のヒーターを具備しないとしても、冬季に温度が下降し、装置チャンバ２００内部のヒーター２３０が稼動した場合、ヒーター２３０によって暖められた空気が注入ノズル収納部２０内に流入され、注入ノズル収納部２０の内部を一定温度以上に維持することを可能にする。
【００７０】
また、注入ノズル収納部２０の一方の側面板２５には、装置チャンバ２００内部との空気疎通を可能にするエアベント２５ａをさらに含み（図６の（ａ）参照）、装置チャンバ２００と注入ノズル収納部２０の間の空気循環がさらに円滑に行われることができる。
【００７１】
本発明による注入ノズル収納部２０は、保持された注入ノズル５０の注入端５１が収容されるノズルカップ３０を含む。
【００７２】
ノズルカップ３０は、保持板２６の下端の下方に備えられる。ノズルカップ３０は、尿素水を溶解することができる液体、すなわち水を収容することができる容器であって、注入ノズル５０が保持板２６の載置溝２７に保持された状態では、注入ノズル５０の注入端５１がノズルカップ３０の内部に位置し、水に浸る。
【００７３】
尿素水が空気中に露出する場合、水気が蒸発しながら結晶化される。尿素水を注入ノズル５０を利用して注入する場合、注入ノズル５０の端部である注入端５１には、尿素水が付着するしかなく、時間が経過するにつれて結晶が形成されながら結石化される。注入ノズル５０の注入端５１に生成された尿素水の結石は、美観を害するだけでなく、注入ノズル５０を利用して車両の尿素水タンクに尿素水を注入することを妨害する妨害物となる。すなわち、尿素水の結石が形成されて大きくなった注入ノズル５０の注入端５１が尿素水タンクの孔に当たらないようになる。
【００７４】
これを防止するためには、周期的に注入端５１の結石を除去しなければならない煩わしさが発生する。しかし、本発明によれば、注入ノズル５０は、保持状態でその注入端５１がノズルカップ３０に位置し、水に浸った状態を維持するので、尿素水の結晶が形成されることを防止することができる。
【００７５】
本発明によれば、ノズルカップ３０は、着脱可能に構成し、ノズルカップ３０内部の残存物を捨てるか、洗浄が可能に構成される。本発明の変形例としてノズルカップ３０の下端に配管を連結し、弁制御を通じて残存物を捨てることができるように構成されることができる。
【００７６】
本発明によれば、保持板２６の下方には、ノズルカップ３０の上部に前面に引き出し可能にノズル保持台４０が備えられ、収納ハウジング２０ａ内に収納される。ノズル保持台４０は、図６の（ｃ）に示されたように、注入ノズル５０の注入端５１が貫通可能となるように開口部が上下方向に貫通された形態となっており、前面に引き出した状態で注入ノズル５０の注入端５１が下方に向かうように差される場合、注入ノズル５０は、ノズル保持台４０の枠にまたがって保持され、注入端５１は、ノズルカップ３０に収納される。
【００７７】
注入ノズル収納部３０の保持板２６の載置溝２７に注入ノズル５０が収納された場合、注入ノズル５０の把持部が内部に位置するので、使用が頻繁に行われる場合に、多少の不便さがあり得る。しかし、ノズル保持台４０は、このような不便さを解消することができる。
【００７８】
図６を参照すれば、図６の（ａ）状態は、注入ノズル５０が保持板２６に保持された形態を示している。この状態で、注入ノズル５０をノズル保持台４０に保持する形態に変更しようとする場合、図６の（ｂ）のように、注入ノズル５０を保持板２６から分離し、ノズルホース２２０を引っ張って外部に引き出し、図６の（ｃ）のように、収納されているノズル保持台４０を外部、すなわち前面に引き出す。この状態で図６の（ｄ）のように、注入ノズル５０をノズル保持台４０に差して保持する。
【００７９】
夏のように注入ノズル収納部３０内部の保温が不要な場合には、ドア２１を開いておいた状態で注入ノズル収納部４０に注入ノズル５０を保持して使用することがさらに便利である。
【００８０】
図７及び図８は、本発明による尿素水保存タンクの他の実施例に関するもので、本発明の一実施例と異なって、ハウジング１の上面構造を異にする。
【００８１】
図面を参照すれば、本発明による尿素水保管タンクの上面２には、尿素水保管チャンバ入口１０５が形成されていて、その側面に凹状空間部形態の複数の収納溝６０、７０が形成される。この部分をカバー５によって覆われる。
【００８２】
尿素水保管チャンバ入口１０５は、尿素水保管チャンバ１００内に、人またはツールの導入を可能にして、尿素水保管チャンバ１００内に設置された部品の修理及び点検を可能にする。
【００８３】
収納溝６０、７０は、尿素水供給装置の部品を種類別に集めて区画して収納するが、具体的に、尿素水移送と直接関連した配管部品を収納する配管部品収納溝６０と、制御と関連した電子部品を収納する電子部品収納溝７０を含む。配管部品収納溝６０は、尿素水保管チャンバ１００の上面に位置し、電子部品収納溝７０は、尿素水保管チャンバ１００または装置チャンバ２００の上面に位置することができる。
【００８４】
排出ホース１１２及びノズルホース２２０は、流量計などの配管部品を媒介に互いに連結されるが、このような連結部位では、漏洩が発生することができる。この際、このような連結部位に隣接して電子部品などが配置された場合、漏洩した尿素水が電子部品のように相対的に汚染に脆弱な部品に付着する場合、故障を誘発する。例えば、図２及び図３に示された本発明の一実施例の場合、排出ホース１１２は、装置チャンバ２００内で制御ブロック１１５を媒介にノズルホース２２０と連結されるが、制御ブロック１１５には、流量計などの配管部品と共にこれを制御するＰＣＢなどの電子部品が一緒に設置されている。このような部分で故障、耐久性の低下などに起因して尿素水の漏洩が発生する場合、電子部品が汚染し、故障するおそれがある。
【００８５】
本発明は、このような短所を解消するために、配管部品と電子部品を別途の空間として区画されて設けられた収納溝に分離して設置することによって、配管部品が設置された配管部品収納溝６０で漏洩が発生しても、このような漏洩が電子部品収納溝７０に設置された電子部品に影響を及ぼさない。また、配管部品収納溝６０のどの部分で漏洩が発生しても、エアベント１５０を通じて再び尿素水保管チャンバ１００内に流入されるようにして、尿素水漏出時の故障可能性を最小化することができる。
【００８６】
配管部品収納溝６０には、流量計、リミットスイッチなど尿素水の流動と関連した配管部品６１が設置される。排出ホース１１２は、配管部品収納溝６０に延長し、配管部品６１を媒介にノズルホース２２０と連結される。配管部品収納溝６０には、水位測定管１４０の上端が尿素水保管チャンバ１００の上面を貫通して内部に延長し、その上端に超音波レベルセンサー１４５が設置される。また、尿素水保管チャンバ１００の内部を大気圧状態に維持するためのエアベント１５０が配管部品収納溝６０に設置されるので、配管連結部位で漏洩が発生する場合、尿素水は、エアベント１５０を通じて尿素水保管チャンバ１００内に再び流入されることが可能である。また、配管部品が尿素水供給装置の上面に集められて設置されるので、設置及び修理が一層簡便に行われることができる。また、尿素水の漏洩が発生しても、電子装置収納溝７０が別途の空間として形成されて区画分離されているので、漏洩尿素水が電子部品を汚染させることを防止する。
【００８７】
電子部品収納溝７０には、制御部を構成するＰＣＢ７１、トランスなどの各種電子部品が設置される。電子部品が尿素水供給装置の上面に別途の区画空間に集められて配置されるので、修理が簡便である。配管部品収納溝６０と電子部品収納溝７０との間の壁には、その間の配線のための配線溝が形成される。電子部品収納溝７０には、装置チャンバ２００の内部と空気疎通を可能にするエアベント２５０が設置される。
【００８８】
本発明によれば、配管部品収納溝６０及び電子部品収納溝７０の上部には、 配置図付き透明板６５、７５が覆われる。 配置図付き透明板６５、７５は、配管部品収納溝６０及び電子部品収納溝７０に設置された部品の配置が簡略に図示されたもので、 配置図付き透明板６５、７５が覆われた状態で収納溝６０、７０の内部をのぞき見る場合、配置図に示された配置と実際部品配置が重なるので、非専門家でも収納溝６０、７０内の部品を区分することができる。したがって、尿素水供給装置に故障などが発生した場合、 非専門家でも作業マニュアルによって必要な迅速な措置が取ることができる。
【００８９】
カバー５は、尿素水保管チャンバ入口２０５及び収納溝６０、７０を覆う。カバー５は、覆われる部分より若干大きく形成され、枠に沿って空気疎通が可能に形成される。したがって、収納溝６０、７０のエアベント１５０、２５０を通じた外部空気との空気疎通が可能である。
【００９０】
図９及び図１０は、本発明による尿素水供給装置のさらに他の実施例を示す図であり、図９は、外観斜視図であり、図１０は、内部構造を説明するための分離図である。
【００９１】
本発明のさらに他の実施例によれば、装置チャンバ２００は、尿素水保管チャンバ１００の一側面で形成され、装置チャンバドア２０１'が内部に装置チャンバ２００を形成しながら覆われる。
【００９２】
注入ノズル収納部２０は、装置チャンバドア２０１'を通じて外部に露出する。注入ノズル収納部２０のドア２１は、装置チャンバドア２０１'に備えられる。
【００９３】
ノズルホース２２０を保持するリトラクタ２１０は、隔壁１０１の下部に設置され、ノズルホース２２０が巻かれて通過する保持部２１２と、保持部２１２から離隔して位置し、保持部２１２から離隔する方向及び近接する方向に移動可能に支持され、ノズルホース２２０が巻かれて通過する保持ローラー２１３と、前記保持ローラー２１３の移動方向に長く延長し、長さ方向に溝２１４が形成され、前記溝に前記保持ローラー２１２が支持されて移動可能にする支持台２１５を含む。保持ローラー２１３は、支持台２１５に弾性的に結合し、引っ張る力が作用する場合には、保持部２１２に向けて移動するが、引っ張る力が除去され、反対方向に所定の力が作用する場合、元の位置に戻る。したがって、ノズルホース２２０は、装置チャンバ２００内で弾力的に保持されることができる。
【００９４】
注入ノズル収納部２０は、本発明の一実施例のように、板で形成された収納ハウジングによって装置チャンバ２００と区分される空間部として形成され、一方の板にノズルホース２２０が延長する貫通孔２３が備えられる。ノズルホース２２０は、貫通孔２３を通じて延長し、内部に保持される注入ノズル５０に結合される。注入ノズル収納部２０は、本発明の一実施例と同様に傾くように配置された保持板２６を備え、注入ノズル５０は、保持板２６に注入端が下方に向ける方向に保持される。保持板２６の下端の下方には、ノズルカップ３０が備えられるので、注入ノズル５０は、注入端がノズルカップ３０の水に浸った状態で保持板２６に保持されることができる。
【００９５】
隔壁１０１の一側に尿素水保管チャンバ１００の上・下端と連通して分岐された管形態の水位測定管２４０'が備えられる。本発明のさらに他の実施例による水位測定管２４０'は、透明に形成され、装置チャンバドア２０１'に対応して形成された透明窓２０２を通じて外部で尿素水の水位を目視で観察することができる。
【００９６】
本発明の他の実施例によれば、充填ホース１３０は、その他端が尿素水保管チャンバ１００の上端に延長し、充填カップラー１３２は、カバー５'によって形成されるチャンバに位置する。したがって、装置チャンバ２００内に充填カップラー１３２が位置する本発明の一実施例とその配置位置が異なっているだけで、同一に扱うことができる。
【００９７】
以上、本発明の実施例を図面を参照して説明した。しかし、本発明の保護範囲は、説明された実施例に限定されない。
【符号の説明】
【００９８】
１  ハウジング
３  底フレーム
５、５'  カバー
２０  注入ノズル収納部
２０ａ  収納ハウジング
２１  ドア
２６  保持板
３０  ノズルカップ
４０  ノズル保持台
５０  注入ノズル
６０  配管部品収納溝
７０  電子部品収納溝
１００  尿素水保管チャンバ
１１０  水中ポンプ
１１２  排出ホース
１２０  ヒーター
１２５  温度センサー
１３０  充填ホース
１３２  充填カップラー
１４０  水位測定管
１４５  超音波レベルセンサー
２００  装置チャンバ
２０１、２０１'  装置チャンバドア
２１０  リトラクタ
２２０  ノズルホース
２３０  ヒーター
２４０'  水位測定管
【図１】
2013233996.tif 000003
【図２】
2013233996.tif 000004
【図３】
2013233996.tif 000005
【図４】
2013233996.tif 000006
【図５】
2013233996.tif 000007
【図６】
2013233996.tif 000008
【図７】
2013233996.tif 000009
【図８】
2013233996.tif 000010
【図９】
2013233996.tif 000011
【図１０】
2013233996.tif 000012